(57)【要約】      （修正有）【課題】ユーザの身体条件、生活慣習、健康状態など個々人で異なる状況を勘案した上で、適切な栄養素を適量含む栄養剤を生成することを可能とする。【解決手段】栄養剤配合システム１００は、ユーザに対し提示した質問の回答を受け付け、該回答に係る回答識別情報を取得する回答受付手段２５０と、回答識別情報に対応する基準値修正情報を抽出する修正情報抽出手段２６０と、栄養剤に配合される各栄養素の基準値及び基準値修正情報に基づいて、栄養剤に含まれる栄養素毎の配合量を算出する配合量算出手段２７０と、各栄養素に係る薬剤について、該各栄養素に係る薬剤が個別に格納される格納庫から先に算出された配合量で規定される量を放出させ、複数の栄養素が所定量ずつ配合された栄養剤を生成する栄養剤生成手段３１０と、を有する。【選択図】図２
2015032218.tif 000002
【特許請求の範囲】
【請求項１】
複数の栄養素を配合した栄養剤を生成する栄養剤配合システムであって、
性別及び年齢を含む個人の属性を特徴付ける情報である個人属性識別情報の組合せ毎に、前記栄養剤に配合される各前記栄養素の基準値を記憶する基準値記憶手段と、
前記栄養剤の提供を受けるユーザに対し提示する質問の回答を識別する前記回答識別情報と前記各栄養素の前記基準値を修正するための基準値修正情報とを関連付けて記憶する修正情報記憶手段と、
前記ユーザに対し提示した質問の回答を受け付け、該回答に係る回答識別情報を取得する回答受付手段と、
前記修正情報記憶手段から、前記回答受付手段により取得した前記回答識別情報に対応する前記基準値修正情報を抽出する修正情報抽出手段と、
前記修正情報抽出手段により抽出した前記基準値修正情報及び前記基準値記憶手段に記憶する前記基準値に基づいて、前記栄養剤に含まれる前記栄養素毎の配合量を算出する配合量算出手段と、
前記各栄養素に係る薬剤について、該各栄養素に係る薬剤が個別に格納される格納庫から前記栄養素加減算手段により算出された前記配合量で規定される量を放出させ、前記複数の栄養素が所定量ずつ配合された前記栄養剤を生成する栄養剤生成手段と、を有することを特徴とする栄養剤配合システム。
【請求項２】
前記栄養剤に配合する前記各栄養素の上限値を記憶する上限値記憶手段を有し、
前記配合量算出手段が、前記栄養素毎に、前記配合量と前記上限値とを比較すると共に、前記上限値の方が小さい場合、前記配合量の値を前記上限値で置換することを特徴とする請求項１に記載の栄養剤配合システム。
【請求項３】
前記栄養剤に配合する前記各栄養素の下限値を記憶する下限値記憶手段を有し、
前記配合量算出手段が、前記栄養素毎に、前記配合量と前記下限値とを比較すると共に、前記下限値の方が大きい場合、前記配合量の値を前記下限値で置換することを特徴とする請求項１又は２に記載の栄養剤配合システム。
【請求項４】
ユーザインタフェース機能を提供するサーバ装置と、前記各栄養素に係る薬剤が個別に格納される格納庫を備える栄養剤配合装置と、を有し、
前記サーバ装置が、前記基準値記憶手段、前記修正情報記憶手段、前記回答受付手段、前記修正情報抽出手段及び前記配合量算出手段を有し、
前記栄養剤配合装置が、前記栄養剤生成手段を有し、
前記サーバ装置が、前記配合量算出手段により算出された前記栄養剤に含まれる栄養素毎の配合量を、前記栄養剤配合装置へ通知する配合量通知手段を有することを特徴とする請求項１乃至３の何れか一に記載の栄養剤配合システム。
【請求項５】
複数の栄養素を配合した栄養剤を生成し、性別及び年齢を含む個人の属性を特徴付ける情報である個人属性識別情報の組合せ毎に、前記栄養剤に配合される各前記栄養素の基準値を記憶する基準値記憶手段と、前記栄養剤の提供を受けるユーザに対し提示する質問の回答を識別する前記回答識別情報と前記各栄養素の前記基準値を修正するための基準値修正情報とを関連付けて記憶する修正情報記憶手段と、を有する栄養剤配合システムにおいて行う栄養剤配合方法であって、
回答受付手段が、前記ユーザに対し提示した質問の回答を受け付け、該回答に係る回答識別情報を取得するステップと、
修正情報抽出手段が、前記修正情報記憶手段から、前記回答受付手段により取得した前記回答識別情報に対応する前記基準値修正情報を抽出するステップと、
配合量算出手段が、前記修正情報抽出手段により抽出した前記基準値修正情報及び前記基準値記憶手段に記憶する前記基準値に基づいて、前記栄養剤に含まれる前記栄養素毎の配合量を算出するステップと、
栄養剤生成手段が、前記各栄養素に係る薬剤について、該各栄養素に係る薬剤が個別に格納される格納庫から前記栄養素加減算手段により算出された前記配合量で規定される量を放出させ、前記複数の栄養素が所定量ずつ配合された前記栄養剤を生成するステップと、を含むことを特徴とする栄養剤配合方法。
【請求項６】
前記栄養剤配合システムが、前記栄養剤に配合する前記各栄養素の上限値を記憶する上限値記憶手段を有し、
前記配合量算出手段が、前記栄養素毎に、前記配合量と前記上限値とを比較すると共に、前記上限値の方が小さい場合、前記配合量の値を前記上限値で置換することを特徴とする請求項５に記載の栄養剤配合方法。
【請求項７】
前記栄養剤配合システムが、前記栄養剤に配合する前記各栄養素の下限値を記憶する下限値記憶手段を有し、
前記配合量算出手段が、前記栄養素毎に、前記配合量と前記下限値とを比較すると共に、前記下限値の方が大きい場合、前記配合量の値を前記下限値で置換することを特徴とする請求項５又は６に記載の栄養剤配合方法。
【請求項８】
前記栄養剤配合システムが、ユーザインタフェース機能を提供するサーバ装置と、前記各栄養素に係る薬剤が個別に格納される格納庫を備える栄養剤配合装置と、を有し、
前記サーバ装置において、配合量通知手段が、前記配合量算出手段により算出された前記栄養剤に含まれる栄養素毎の配合量を、前記栄養剤配合装置へ通知するステップを含み、前記基準値記憶手段、前記修正情報記憶手段、前記回答受付手段、前記修正情報抽出手段、前記配合量算出手段及び前記配合量通知手段が行う各ステップが実行され、
前記栄養剤配合装置において、前記栄養剤生成手段が行うステップが実行されることを特徴とする請求項５乃至７の何れか一に記載の栄養剤配合方法。
【請求項９】
前記サーバ装置に、請求項８に記載の栄養剤配合方法における前記基準値記憶手段、前記修正情報記憶手段、前記回答受付手段、前記修正情報抽出手段、前記配合量算出手段及び前記配合量通知手段が行う各ステップを実行させ、
前記栄養剤配合装置に、請求項８に記載の栄養剤配合方法における前記栄養剤生成手段が行うステップを実行させるための栄養剤配合プログラム。
【発明の詳細な説明】
【技術分野】
【０００１】
ユーザの身体条件、生活慣習、健康状態など個々人の異なる状況を勘案し、適切な栄養素を適量含む栄養剤の生成を行うシステムの技術に関する。
【背景技術】
【０００２】
近年、多様な疾患を予防するために、ビタミン・ミネラル等の栄養素をサプリメントとして摂取する慣習が徐々に根付いて来ている。一方で、これら栄養素を無分別に服用し、体内に摂取し過ぎると、副作用を誘発する恐れがあるため、服用目的や個人別特性に応じ、適切な栄養素を適量摂取することが望ましい。
【０００３】
他方で、サプリメント服用者の中には、自分自身の健康状態や栄養素に対する正しい知識を有することなく、無分別に適切でない量のサプリメントを服用し、特定の栄養素を過剰に摂取している者が少なからずいるものと推察される。
【０００４】
そのような中、特許文献１では、利用者が例えば、美容、健康、又はダイエット等の種々の目的を達成するために望む効能を有するサプリメントを提供する配合決定装置の提案がなされている。
【先行技術文献】
【特許文献】
【０００５】
【特許文献１】特開２０１０−９７６２１号公報
【発明の概要】
【発明が解決しようとする課題】
【０００６】
しかしながら、上記技術においては、ユーザの身体条件、生活慣習、健康状態など個々人で異なる状況を勘案し、適切な栄養素を適量含む栄養剤を生成・提供することができないという問題点があった。
【０００７】
そこで本発明では、上記従来技術の問題点に鑑み、ユーザの身体条件、生活慣習、健康状態など個々人で異なる状況を勘案した上で、適切な栄養素を適量含む栄養剤を生成する栄養剤配合システム、栄養剤配合方法及び栄養剤配合プログラムを提供することを目的とする。
【課題を解決するための手段】
【０００８】
開示する栄養剤配合システムの一形態は、複数の栄養素を配合した栄養剤を生成する栄養剤配合システムであって、性別及び年齢を含む個人の属性を特徴付ける情報である個人属性識別情報の組合せ毎に、前記栄養剤に配合される各前記栄養素の基準値を記憶する基準値記憶手段と、前記栄養剤の提供を受けるユーザに対し提示する質問の回答を識別する前記回答識別情報と前記各栄養素の前記基準値を修正するための基準値修正情報とを関連付けて記憶する修正情報記憶手段と、前記ユーザに対し提示した質問の回答を受け付け、該回答に係る回答識別情報を取得する回答受付手段と、前記修正情報記憶手段から、前記回答受付手段により取得した前記回答識別情報に対応する前記基準値修正情報を抽出する修正情報抽出手段と、前記修正情報抽出手段により抽出した前記基準値修正情報及び前記基準値記憶手段に記憶する前記基準値に基づいて、前記栄養剤に含まれる前記栄養素毎の配合量を算出する配合量算出手段と、前記各栄養素に係る薬剤について、該各栄養素に係る薬剤が個別に格納される格納庫から前記栄養素加減算手段により算出された前記配合量で規定される量を放出させ、前記複数の栄養素が所定量ずつ配合された前記栄養剤を生成する栄養剤生成手段と、を有することを特徴とする。
【０００９】
また、開示する栄養剤配合システムの一形態は、上記構成に加え、前記栄養剤に配合する前記各栄養素の上限値を記憶する上限値記憶手段を有し、前記配合量算出手段が、前記栄養素毎に、前記配合量と前記上限値とを比較すると共に、前記上限値の方が小さい場合、前記配合量の値を前記上限値で置換することを特徴とする。
【００１０】
また、開示する栄養剤配合システムの一形態は、上記構成に加え、前記栄養剤に配合する前記各栄養素の下限値を記憶する下限値記憶手段を有し、前記配合量算出手段が、前記栄養素毎に、前記配合量と前記下限値とを比較すると共に、前記下限値の方が大きい場合、前記配合量の値を前記下限値で置換することを特徴とする。
【００１１】
また、開示する栄養剤配合システムの一形態は、上記構成に加え、ユーザインタフェース機能を提供するサーバ装置と、前記各栄養素に係る薬剤が個別に格納される格納庫を備える栄養剤配合装置と、を有し、前記サーバ装置が、前記基準値記憶手段、前記修正情報記憶手段、前記回答受付手段、前記修正情報抽出手段及び前記配合量算出手段を有し、前記栄養剤配合装置が、前記栄養剤生成手段を有し、前記サーバ装置が、前記配合量算出手段により算出された前記栄養剤に含まれる栄養素毎の配合量を、前記栄養剤配合装置へ通知する配合量通知手段を有することを特徴とする。
【発明の効果】
【００１２】
開示する栄養剤配合システムは、ユーザの身体条件、生活慣習、健康状態など個々人で異なる状況を勘案した上で、適切な栄養素を適量含む栄養剤を生成することができる。
【図面の簡単な説明】
【００１３】
【図１】本実施の形態に係る栄養剤配合システムの概要を説明する図である。
【図２】本実施の形態に係る栄養剤配合システムの機能ブロック図である。
【図３】本実施の形態に係る基準値記憶手段、上限値記憶手段及び下限値記憶手段の一例を示す図である。
【図４】本実施の形態に係る修正情報記憶手段の一例（その１）を示す図である。
【図５】本実施の形態に係る修正情報記憶手段の一例（その２）を示す図である。
【図６】本実施の形態に係る修正情報記憶手段の一例（その３）を示す図である。
【図７】本実施の形態に係る栄養剤配合システムの画面表示例を示す図である。
【図８】本実施の形態に係る栄養剤配合システムにおいてユーザから受け付けた回答の一例を示す図である。
【図９】本実施の形態に係る配合量算出手段が行う処理例を説明するための図である。
【図１０】本実施の形態に係る薬剤格納庫（栄養剤配合装置）の一例を示す図である。
【図１１】本実施の形態に係るサーバ装置のハードウエア構成例を示す図である。
【図１２】本実施の形態に係る栄養剤配合装置のハードウエア構成例を示す図である。
【図１３】本実施の形態に係る栄養剤配合システムによる処理例（その１）の流れを示すフローチャートである。
【図１４】本実施の形態に係る栄養剤配合システムによる処理例（その２）の流れを示すフローチャートである。
【図１５】本実施の形態に係る栄養剤配合システムによる処理例（その３）の流れを示すフローチャートである。
【発明を実施するための形態】
【００１４】
図面を参照しながら、本発明を実施するための形態について説明する。
（本実施の形態に係る栄養剤配合システムの概要）
【００１５】
図１を用いて、本実施の形態に係る栄養剤配合システム（以下、単に「配合システム」という。）１００の概要について説明する。図１は、配合システム１００について、周辺装置との関係で俯瞰した図である。
【００１６】
図１で示すように、配合システム１００は、サーバ装置２００と栄養剤配合装置（以下、単に「配合装置」という。）３００を含み、サーバ装置２００と配合装置３００とは通信ネットワークによって接続されている。ただし、サーバ装置２００と配合装置３００とが一体となって構成される形態でも良い。
【００１７】
また、配合システム１００は、通信ネットワークを介しユーザ５１０が操作するユーザ端末５２０と接続され、ユーザ端末５２０は、主に、ユーザインタフェース機能を提供するサーバ装置２００と、配合システム１００が行う情報処理のための情報の授受を行う。
【００１８】
配合システム１００は、ユーザ５１０に対しユーザ端末５２０を介して、ユーザ５１０自身の身体条件、生活慣習、健康状態などに関する質問を提示すると共に、それに対する回答を取得する。そして、配合システム１００は、取得した回答に基づいて、ユーザ５１０が必要とするビタミン・ミネラル類・アミノ酸などの栄養素４１０を特定すると共に、栄養素４１０の適切な摂取量についても特定する。
【００１９】
さらに、配合システム１００は、１つ１つの栄養素４１０に係る薬剤４２０を個別の格納庫５００に格納しているので、先に特定したユーザ５１０が必要とする各栄養素４１０が適切な摂取量となるように、それぞれの格納庫５００から薬剤４２０を放出する。
【００２０】
こうすることによって、配合システム１００は、ユーザ５１０の身体条件、生活慣習、健康状態などを考慮し、ユーザ５１０が摂取するのに適している栄養素４１０を適量含む栄養剤４００を生成することができる。
（本実施の形態に係る栄養剤配合システムの動作原理）
【００２１】
図２乃至１０を用いて、配合システム１００の動作原理について説明する。図２は、配合システム１００の機能ブロック図である。図２で示すように、配合システム１００は、サーバ装置２００、配合装置３００を含む。そしてサーバ装置２００は、基準値記憶手段２１０、修正情報記憶手段２２０、上限値記憶手段２３０、下限値記憶手段２４０、回答受付手段２５０、修正情報抽出手段２６０、配合量算出手段２７０、配合量通知手段２８０を有する。一方、配合装置３００は、栄養剤生成手段３１０を有する。
【００２２】
基準値記憶手段２１０は、性別や年齢を含む個人の属性を特徴付ける個人属性識別情報４３０の組合せと、栄養剤４００に配合される栄養素４１０の配合量の基準値４４０と、を関連付けて記憶する。図３で示すように、基準値記憶手段２１０は例えば、個人属性識別情報４３０の組合せが「性別：男性」「年齢：３０歳〜４９歳」である場合、基準値４４０を「ビタミンＡ：８５０μｇ」「ビタミンＤ：５．５μｇ」…「カルシウム：６５０ｍｇ」…などと記憶する。また、基準値記憶手段２１０は、個人属性識別情報４３０の組合せが「性別：女性」「年齢：１５歳〜１７歳」である場合、基準値４４０を「ビタミンＡ：６５０μｇ」「ビタミンＤ：４．５μｇ」…「マグネシウム：３００ｍｇ」…などと記憶する。なお、基準値記憶手段２１０に記憶される情報は、例えば、厚生労働省が定める「日本人食事摂取基準」などに基づいて規定される。
【００２３】
修正情報記憶手段２２０は、ユーザ５１０に対し提示した質問の回答を識別する回答識別情報４８０と、基準値４４０を修正する規則を定めた基準値修正情報４５０と、を関連付けて記憶する。図４で示すように、修正情報記憶手段２２０は例えば、質問内容がユーザ５１０のＢＭＩ（Body Mass Index）値であり（質問ＩＤ＝００２）、その回答が「ＢＭＩ値：１８．５未満」である（回答ＩＤ＝０００１）場合の回答識別情報４８０「００２−０００１」と、基準値修正情報４５０「修正対象の栄養素：無し」とを関連付けて記憶する。また、修正情報記憶手段２２０は例えば、質問内容がユーザ５１０のＢＭＩ値であり（質問ＩＤ＝００２）、その回答が「ＢＭＩ値：２５以上３０未満」である（回答ＩＤ＝０００３）場合の回答識別情報４８０「００２−０００３」と、基準値修正情報４５０「ビタミンＡ：基準値に対し＋１０％」「ビタミンＤ：基準値に対し＋１０％」…「銅：基準値に対し＋１０％」とを関連付けて記憶する。なお、ＢＭＩ値は、ユーザ５１０に直接入力させる形態でも、ユーザ５１０に身長・体重を入力させ、サーバ装置２００において自動計算する形態でも良い。
【００２４】
一方、図５で示すように、修正情報記憶手段２２０は例えば、質問内容がユーザ５１０の仕事レベルであり（質問ＩＤ＝００３）、その回答が「精神的、肉体的仕事が両方激しい」である（回答ＩＤ＝０００１）場合の回答識別情報４８０「００３−０００１」と、基準値修正情報４５０「ビタミンＥ：基準値に対し＋５０％」「ビタミンＢ１：基準値に対し＋５０％」…「銅：基準値に対し＋１０％」とを関連付けて記憶する。
【００２５】
他方、図６で示すように、修正情報記憶手段２２０は例えば、質問内容がユーザ５１０の住まいの場所であり（質問ＩＤ＝００４）、その回答が「主要都市又は工業地区に住む」である（回答ＩＤ＝０００１）場合の回答識別情報４８０「００４−０００１」と、基準値修正情報４５０「ビタミンＡ：基準値に対し＋２０％」「ビタミンＣ：基準値に対し＋５０％」とを関連付けて記憶する。
【００２６】
なお図４乃至６では、基準値修正情報４５０として、基準値４４０に対し加算修正する場合のみを示しているが、減算修正する形態でも良い。また、同じく基準値修正情報４５０として、基準値４４０に対し基準値４４０の所定割合を修正する形態のみを示しているが、基準値修正情報４５０は、基準値４４０に対し既定値を加減算する形態でも良い。
【００２７】
上限値記憶手段２３０は、栄養剤４００に配合する各栄養素４１０の上限値４６０を記憶する。図３で示すように、上限値記憶手段２３０は例えば、上限値４６０として「ビタミンＡ：６００μｇ」「ビタミンＤ：５．０μｇ」…「鉄：１０ｍｇ」などと記憶する。なお、上限値４６０は例えば、消費者庁が栄養機能食品といて提示している「栄養機能食品の規格基準」に基づいて規定される。
【００２８】
下限値記憶手段２４０は、栄養剤４００に配合する各栄養素４１０の下限値４７０を記憶する。図３で示すように、下限値記憶手段２４０は例えば、下限値４７０として「ビタミンＡ：１３５μｇ」「ビタミンＤ：１．５μｇ」…「鉄：２．２５ｍｇ」などと記憶する。なお、下限値４７０は例えば、消費者庁が栄養機能食品といて提示している「栄養機能食品の規格基準」に基づいて規定される。
【００２９】
回答受付手段２５０は、ユーザ５１０に対し提示した質問の回答を受け付け、受け付けた回答に関する回答識別情報４８０を取得する。なお、回答識別情報４８０は、質問を識別する情報と回答を識別する情報との組み合わせで構成されても良いし、どの質問に対するどの回答なのかを特定可能とするために一意に定められたものであっても良い。
【００３０】
例えば、配合システム１００は、図７で示すような質問提示画面をユーザ端末５２０に表示させ、ユーザ５１０から回答を受け付ける。図７の例において、質問内容「仕事レベル（質問ＩＤ＝００３）」について、ユーザ５１０がユーザ端末５２０上で「精神的、肉体的仕事が両方激しい（回答ＩＤ＝０００１）」が選択されると、回答受付手段２５０は、回答識別情報４８０として「００３−０００１」という情報を取得する。
【００３１】
修正情報抽出手段２６０は、回答受付手段２５０が取得した回答識別情報４８０に対応する基準値修正情報４５０を、修正情報記憶手段２２０から抽出する。例えば、回答受付手段２５０が回答識別情報４８０として「００３−０００１」を取得した場合、修正情報抽出手段２６０は、修正情報記憶手段２２０から基準値修正情報４５０「ビタミンＥ：基準値に対し＋５０％」「ビタミンＢ１：基準値に対し＋５０％」…「銅：基準値に対し＋１０％」を抽出する。
【００３２】
配合量算出手段２７０は、修正情報抽出手段２６０が抽出した基準値修正情報４５０を用いて、基準値記憶手段２１０に記憶される基準値４４０を修正し、栄養剤４００に配合する各栄養素４１０の配合量を算出する。
【００３３】
また、配合量算出手段２７０は、上記のように算出した栄養剤４００に配合する各栄養素４１０の配合量４９０と、上限値記憶手段２３０に記憶される各栄養素４１０の上限値４６０とを比較し、上限値４６０の方が小さい（配合量４９０の方が大きい）栄養素４１０について、配合量４９０を上限値４６０で置換する形態としても良い。
【００３４】
また、配合量算出手段２７０は、上記のように算出した栄養剤４００に配合する各栄養素４１０の配合量４９０と、下限値記憶手段２４０に記憶される各栄養素４１０の下限値４７０とを比較し、下限値４７０の方が大きい（配合量４９０の方が小さい）栄養素４１０について、配合量４９０を下限値４７０で置換する形態としても良い。
【００３５】
図８で示すように、例えば、回答受付手段２５０が項番１乃至２２の質問に関する回答識別情報４８０を取得した場合を想定し、配合量算出手段２７０による処理を説明する。図９で示すように、配合量算出手段２７０は、性別・年齢に対応する各栄養素４１０の基準値４４０を上から５行目に設定し、回答識別情報４８０に対応する基準値修正情報４５０を栄養素４１０毎に列方向へ設定する。
【００３６】
次に、配合量算出手段２７０は、栄養素４１０毎に、基準値４４０に同じ列に設定される基準値修正情報４５０を加算し、合計値（配合量４９０）を算出する。さらに、配合量算出手段２７０は、栄養素４１０毎に、その合計値が上限値４６０を上回る場合、該当する栄養素４１０について、当該合計値を上限値４６０で置換し、栄養剤４００に含まれる各栄養素４１０の配合量４９０を算出する。
【００３７】
図９では、配合量算出手段２７０は例えば、栄養素４１０：ビタミンＡについて、基準値４４０：８５０μｇに、基準値修正情報４５０：８５μｇ、１７０μｇ、２５５μｇ、４２５μｇ、４２５μｇ、４２５μｇを全て加算し、合計値２，６３５μｇを一旦算出する。そして配合量算出手段２７０は、合計値２，６３５μｇと上限値４６０：６００μｇとを比較し、上限値４６０の方が小さいので、合計値２，６３５μｇを上限値４６０：６００μｇで置換し、置換した値を配合量４９０とする。
配合量通知手段２８０は、配合量算出手段２７０が算出した栄養剤４００に含まれる各栄養素４１０の配合量４９０を、配合装置３００へ通知する。
【００３８】
ここで図１０で示すように、配合装置３００は、栄養素４１０に係る薬剤４２０を、栄養素４１０毎に個別に格納するための格納庫５００を備え、１つの格納庫５００の中には１つの栄養素４１０に係る薬剤４２０が格納されている。
【００３９】
栄養剤生成手段３１０は、配合量通知手段２８０が通知した栄養剤４００に含まれる各栄養素４１０の配合量４９０に従って、配合する栄養素４１０に係る薬剤４２０が格納される格納庫５００を制御し、格納庫５００から配合量４９０で規定される量の薬剤４２０を放出させる。そして栄養剤生成手段３１０は、放出された薬剤４２０を混合させ、配合量４９０において指定される栄養素４１０を指定された量だけ含む栄養剤４００を生成する。
（本実施の形態に係る栄養剤配合システムのハードウエア構成）
【００４０】
図１１を用いて、サーバ装置２００のハードウエア構成例について説明する。図１１は、サーバ装置２００のハードウエア構成の一例を示す図である。図１１で示すように、サーバ装置２００は、ＣＰＵ（Central Processing Unit）２０１０、ＲＯＭ（Read-Only
Memory）２０２０、ＲＡＭ（Random Access Memory）２０３０、補助記憶装置２０４０、通信Ｉ／Ｆ２０５０、入力装置２０６０、表示装置２０７０、記録媒体Ｉ／Ｆ２０８０を有する。
【００４１】
ＣＰＵ２０１０は、ＲＯＭ２０２０に記憶されたプログラムを実行する装置であり、ＲＡＭ２０３０に展開（ロード）されたデータを、プログラムの命令に従って演算処理し、サーバ装置２００全体を制御する。ＲＯＭ２０２０は、ＣＰＵ２０１０が実行するプログラムやデータを記憶している。ＲＡＭ２０３０は、ＣＰＵ２０１０でＲＯＭ２０２０に記憶されたプログラムを実行する際に、実行するプログラムやデータが展開（ロード）され、演算の間、演算データを一時的に保持する。
【００４２】
補助記憶装置２０４０は、基本ソフトウエアであるＯＳ（Operating System）や本実施の形態に係るアプリケーションプログラムなどを、関連するデータとともに記憶する装置である。補助記憶装置２０４０は、基準値記憶手段２１０、修正情報記憶手段２２０、上限値記憶手段２３０、下限値記憶手段２４０を含み、例えば、ＨＤＤ（Hard Disc Drive）やフラッシュメモリなどである。
【００４３】
通信Ｉ／Ｆ２０５０は、有線・無線ＬＡＮ（Local Area Network）、インターネットなどの通信ネットワークに接続し、通信機能を提供する他装置（ユーザ端末５２０や配合装置３００など）とデータの授受を行うためのインタフェースである。
【００４４】
入力装置２０６０は、キーボードなどサーバ装置２００にデータ入力を行うための装置である。表示装置（出力装置）２０７０は、ＬＣＤ（Liquid Crystal Display）等で構成される装置であり、サーバ装置２００が有する機能をユーザが利用する際や各種設定を行う際のユーザインタフェースとして機能する装置である。記録媒体Ｉ／Ｆ２０８０は、ＣＤ−ＲＯＭ、ＤＶＤ−ＲＯＭ、ＵＳＢメモリなどの記録媒体２０９０とデータの送受信を行うためのインタフェースである。
【００４５】
サーバ装置２００が有する各手段は、ＣＰＵ２０１０が、ＲＯＭ２０２０又は補助記憶装置２０４０に記憶された各手段に対応するプログラムを実行することにより実現される形態としても良い。また、サーバ装置２００が有する各手段は、当該各手段に関する処理をハードウエアとして実現される形態としても良い。また、通信Ｉ／Ｆ２０５０を介して外部サーバ装置から本発明に係るプログラムを読み込ませたり、記憶媒体Ｉ／Ｆ２０８０を介して記憶媒体２０９０から本発明に係るプログラムを読み込ませたりして、サーバ装置２００に当該プログラムを実行させる形態としても良い。
【００４６】
次に図１２を用いて、配合装置３００のハードウエア構成例について説明する。図１２は、配合装置３００のハードウエア構成の一例を示す図である。図１２で示すように、配合装置３００は、ＣＰＵ３０１０、ＲＯＭ３０２０、ＲＡＭ３０３０、補助記憶装置３０４０、通信Ｉ／Ｆ３０５０、入出力装置３０６０、記憶媒体Ｉ／Ｆ３０７０、薬剤格納庫５００を有する。
【００４７】
ＣＰＵ３０１０は、ＲＯＭ３０２０に記憶されたプログラムを実行する装置であり、ＲＡＭ３０３０に展開（ロード）されたデータを、プログラムの命令に従って演算処理し、配合装置３００全体を制御する。ＲＯＭ３０２０は、ＣＰＵ３０１０が実行するプログラムやデータを記憶している。ＲＡＭ３０３０は、ＣＰＵ３０１０でＲＯＭ３０２０に記憶されたプログラムを実行する際に、実行するプログラムやデータが展開（ロード）され、演算の間、演算データを一時的に保持する。
【００４８】
補助記憶装置３０４０は、基本ソフトウエアであるＯＳや本実施の形態に係るアプリケーションプログラムなどを、関連するデータとともに記憶する装置である。補助記憶装置３０４０は、例えば、ＨＤＤやフラッシュメモリなどである。
【００４９】
通信Ｉ／Ｆ３０５０は、有線・無線ＬＡＮ、インターネットなどの通信ネットワークに接続し、通信機能を提供する他装置（サーバ装置２００など）とデータの授受を行うためのインタフェースである。入出力装置３０６０は、タッチパネルなど配合装置３００にデータ入力を行ったり、ＬＣＤ等で構成され、配合装置３００が有する機能をユーザが利用する際や各種設定を行う際のユーザインタフェースとして機能したりする装置である。記憶媒体Ｉ／Ｆ３０７０は、ＣＤ−ＲＯＭ、ＤＶＤ−ＲＯＭ、ＵＳＢメモリなどの記憶媒体３０９０とデータの送受信を行うためのインタフェースである。
【００５０】
薬剤格納庫５００は、栄養素４１０に係る薬剤４２０を、栄養素４１０毎に個別に格納するための装置（容器）であり、１つの容器の中には１つの栄養素４１０に係る薬剤４２０が格納される。
【００５１】
配合装置３００が有する各手段は、ＣＰＵ３０１０が、ＲＯＭ３０２０又は補助記憶装置３０４０に記憶された各手段に対応するプログラムを実行することにより実現される形態としても良い。また、配合装置３００が有する各手段は、当該各手段に関する処理をハードウエアとして実現される形態としても良い。また、通信Ｉ／Ｆ３０５０を介して外部サーバ装置から本発明に係るプログラムを読み込ませたり、記憶媒体Ｉ／Ｆ３０７０を介して記憶媒体３０９０から本発明に係るプログラムを読み込ませたりして、配合装置３００に当該プログラムを実行させる形態としても良い。
（本実施の形態に係る栄養剤配合システムによる処理例）
【００５２】
図１３を用いて、配合システム１００による処理の流れを説明する。図１３は、配合システム１００による処理例のフローチャートである。
Ｓ１０でサーバ装置２００が、図７で示すような質問画面をユーザ端末５２０上に表示させ、ユーザ５１０による回答を促す。
【００５３】
Ｓ２０で回答受付手段２５０が、ユーザ５１０に対し提示した質問の回答を受け付け、受け付けた回答に関する回答識別情報４８０を取得する。図７の画面例において回答受付手段２５０は、質問内容「仕事レベル（質問ＩＤ＝００３）」について、ユーザ５１０がユーザ端末５２０上で「精神的、肉体的仕事が両方激しい（回答ＩＤ＝０００１）」が選択されると、回答識別情報４８０として「００３−０００１」という情報を取得する。
【００５４】
Ｓ３０でサーバ装置２００によるユーザ５１０に対する質問提示処理が継続される場合（Ｓ３０でＹｅｓ）、サーバ装置２００における処理はＳ１０へと移行する。一方、Ｓ３０でサーバ装置２００によるユーザ５１０に対する質問提示処理が終了する場合（Ｓ３０でＮｏ）、サーバ装置２００における処理はＳ４０へと移行する。
【００５５】
Ｓ４０で修正情報抽出手段２６０が、Ｓ２０において取得した回答識別情報４８０に対応する基準値修正情報４５０を、修正情報記憶手段２２０から抽出する。例えば、Ｓ２０において回答識別情報４８０として「００３−０００１」が取得された場合、修正情報抽出手段２６０は、修正情報記憶手段２２０から基準値修正情報４５０「ビタミンＥ：基準値に対し＋５０％」「ビタミンＢ１：基準値に対し＋５０％」…「銅：基準値に対し＋１０％」を抽出する。
【００５６】
なお、Ｓ４０において抽出される基準値修正情報４８０は一つとは限らず、例えば図８で示すように、回答受付手段２５０による処理が多数回行われ、多数の回答識別情報４８０を取得した場合、修正情報抽出手段２６０は、保持される回答識別情報４８０の数だけ基準値修正情報４８０を抽出する。ここでは図８で示すように、回答受付手段２５０による処理が多数回行われ、多数の回答識別情報４８０が取得されたものとして説明を行う。
【００５７】
Ｓ５０で配合量算出手段２７０が、Ｓ４０において抽出した基準値修正情報４５０を用いて、基準値記憶手段２１０に記憶される基準値４４０を修正し、栄養剤４００に配合する各栄養素４１０の配合量４９０を算出する。さらに配合量算出手段２７０は、各栄養素４１０について、算出した配合量４９０と上限値記憶手段２３０に記憶される上限値４６０とを比較し、配合量４９０の方が大きい場合、配合量４９０を上限値４６０で置換する。
【００５８】
図９で示すように例えば、配合量算出手段２７０は、性別・年齢に対応する各栄養素４１０の基準値４４０を上から５行目に設定し、回答識別情報４８０に対応する基準値修正情報４５０を栄養素４１０毎に列方向へ設定する。
【００５９】
次に配合量算出手段２７０は、栄養素４１０毎に、基準値４４０に同じ列に設定される基準値修正情報４５０を加算し、合計値（配合量４９０）を算出する。さらに、配合量算出手段２７０は、栄養素４１０毎に、その合計値が上限値４６０を上回る場合、該当する栄養素４１０について、当該合計値を上限値４６０で置換し、栄養剤４００に含まれる各栄養素４１０の配合量４９０を算出する。
【００６０】
例えば栄養素４１０：ビタミンＡについて、配合量算出手段２７０は、基準値４４０：８５０μｇに、基準値修正情報４５０：８５μｇ、１７０μｇ、２５５μｇ、４２５μｇ、４２５μｇ、４２５μｇの全てを加算し、合計値２，６３５μｇを一旦算出する。そして、配合量算出手段２７０は、合計値２，６３５μｇと上限値４６０：６００μｇとを比較し、上限値４６０の方が小さいので、合計値２，６３５μｇを上限値４６０：６００μｇで置換し、置換した値を配合量４９０とする。
【００６１】
Ｓ６０で配合量通知手段２８０が、Ｓ５０において算出した栄養剤４００に含まれる各栄養素４１０の配合量４９０を配合装置３００へ通知する。他方、配合装置３００は、サーバ装置２００から通知された栄養剤４００に含まれる各栄養素４１０の配合量４９０を取得する。
【００６２】
Ｓ７０で栄養剤生成手段３１０が、Ｓ６０において取得した栄養剤４００に含まれる各栄養素４１０の配合量４９０に従って、配合する栄養素４１０に係る薬剤４２０が格納される格納庫５００を制御し、格納庫５００から配合量４９０で規定される量の薬剤４２０を放出させる。
【００６３】
Ｓ８０で栄養剤生成手段３１０が、Ｓ７０において放出された薬剤４２０を混合させ、配合量４９０において指定される栄養素４１０を指定された量だけ含む栄養剤４００を生成する。
【００６４】
なお、図１３を用いた説明では、回答受付手段２５０の処理が一通り終了した後に、修正情報抽出手段２６０が処理を行うフローとなっているが、図１４で示すように、回答受付手段２５０の処理が１回終わる毎に、修正情報抽出手段２６０が処理を行うフローとしても良い。
【００６５】
また、図１５で示すように、回答受付手段２５０が回答受付処理を実行する毎に、修正情報抽出手段２６０及び配合量算出手段２７０の処理を実施するフローであっても良い。
【００６６】
上記のような処理を行うことで、配合システム１００は、ユーザの身体条件、生活慣習、健康状態など個々人で異なる状況を勘案した上で、適切な栄養素を適量含む栄養剤を生成することができる。
【００６７】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００６８】
１００  栄養剤配合システム、２００  サーバ装置、２１０  基準値記憶手段、２２０  修正情報記憶手段、２３０  上限値記憶手段、２４０  下限値記憶手段、２５０  回答受付手段、２６０  修正情報抽出手段、２７０  配合量算出手段、２８０  配合量通知手段、３００  栄養剤配合装置、３１０  栄養剤生成手段、４００  栄養剤、４１０  栄養素、４２０  栄養素に係る薬剤、４３０  個人属性識別情報、４４０  基準値、４５０  基準値修正情報、４６０  上限値、４７０  下限値、４８０  回答識別情報、４９０  配合量、５００  薬剤格納庫、５１０  ユーザ、５２０  ユーザ端末、２０１０  ＣＰＵ、２０２０  ＲＯＭ、２０３０  ＲＡＭ、２０４０  補助記憶装置、２０５０  通信Ｉ／Ｆ、２０６０  入力装置、２０７０  出力装置（表示装置）、２０８０  記憶媒体Ｉ／Ｆ、３０１０  ＣＰＵ、３０２０  ＲＯＭ、３０３０  ＲＡＭ、３０４０  補助記憶装置、３０５０  通信Ｉ／Ｆ、３０６０  入出力装置、３０７０  記憶媒体Ｉ／Ｆ
【図１】
2015032218.tif 000003
【図２】
2015032218.tif 000004
【図３】
2015032218.tif 000005
【図４】
2015032218.tif 000006
【図５】
2015032218.tif 000007
【図６】
2015032218.tif 000008
【図７】
2015032218.tif 000009
【図８】
2015032218.tif 000010
【図９】
2015032218.tif 000011
【図１０】
2015032218.tif 000012
【図１１】
2015032218.tif 000013
【図１２】
2015032218.tif 000014
【図１３】
2015032218.tif 000015
【図１４】
2015032218.tif 000016
【図１５】
2015032218.tif 000017